(57)【要約】【課題】天板を使用する使用者が、天板に対して大きく移動することなく所望の操作を容易に行うことが可能な天板付什器を提供する。【解決手段】天板２と、天板２を支持する支持体と、を備え、天板２は、表面が天板２の上面３を構成する化粧材２０と、天板２上での操作を検出するための電極２１と、剛性を有し、化粧材２０を支持する基材２２と、を有し、電極２１は、化粧材２０と基材２２との間に配置され、化粧材２０を介して天板２上での操作を検出可能である。【選択図】図２
2019080848.tif 000002
【特許請求の範囲】
【請求項１】
天板と、前記天板を支持する支持体と、を備え、
前記天板は、表面が前記天板の上面を構成する化粧材と、
操作を検出するための電極と、
剛性を有し、前記化粧材を支持する基材と、を有し、
前記電極は、前記化粧材と前記基材との間に配置され、前記化粧材を介して前記天板上での操作を検出可能である天板付什器。
【請求項２】
請求項１に記載の天板付什器において、
前記電極が設けられたセンサシートを備え、
前記センサシートは、前記化粧材と前記基材との間に配置されている天板付什器。
【請求項３】
請求項１又は請求項２に記載の天板付什器において、
前記基材には、この基材を上下方向に貫く貫通孔が形成され、
前記電極は、少なくとも一部が前記貫通孔に臨むように配置され、
前記貫通孔内に配置され、前記電極に電気的に接続された電極接続部を有する天板付什器。
【請求項４】
請求項１から請求項３のいずれか一項に記載の天板付什器において、
前記支持体は、前記電極における検出結果に基づいて前記天板を昇降させる昇降機構を有する天板付什器。
【発明の詳細な説明】
【技術分野】
【０００１】
本発明は、天板付什器に関する。
【背景技術】
【０００２】
従来、天板と、天板を支持する支持体と、を備えたデスク装置（天板付什器）が知られている。
このようなデスク装置として、例えば、昇降機能を備えたデスク装置が知られている。
天板を昇降させる技術として、たとえば、ガススプリングを用いる方法やギアを用いる方法（特許文献１，２）などが知られている。
特許文献１，２に開示された技術は、構造が簡易であるのでコストを安く抑えることができる。しかしながら、特許文献１，２に開示された技術では、力の弱い使用者にとっては操作しにくい場合があったり、天板の高さによっては天板を昇降させるために無理な姿勢を強いたりすることがある。
また、天板付什器が備えるワイヤーを操作部により操作して、ガススプリングのストッパ等をロック又は解除し、天板を昇降動作させる技術が知られている（特許文献３，４，５）。
また、天板を昇降させる際の操作性を向上させるために、電動式の駆動ユニットを用いて天板を昇降させる技術が知られている（特許文献６）。特許文献３，４，５，６に開示された技術では、天板近傍に配される操作部やスイッチ（以下、操作部等という）を用いて使用者が天板の昇降操作をすることができる。
【先行技術文献】
【特許文献】
【０００３】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特許第５７１８５０３号公報
【特許文献６】特開２０１６−８６９０９号公報
【発明の概要】
【発明が解決しようとする課題】
【０００４】
しかしながら、特許文献３，４，５，６に開示された技術は、操作部等を操作して天板を昇降させるようになっている。このため、例えば大型の天板に操作部等が配置されている場合には、天板を昇降させる使用者が操作部等に届く位置まで移動して操作する必要があるので、操作に手間がかかる。
【０００５】
本発明は、上述した事情に鑑みてなされたものであって、天板を使用する使用者が、天板に対して大きく移動することなく所望の操作を容易に行うことが可能な天板付什器を提供することを目的とする。
【課題を解決するための手段】
【０００６】
本発明の一態様は、天板と、前記天板を支持する支持体と、を備え、前記天板は、表面が前記天板の上面を構成する化粧材と、操作を検出するための電極と、剛性を有し、前記化粧材を支持する基材と、を有し、前記電極は、前記化粧材と前記基材との間に配置され、前記化粧材を介して前記天板上での操作を検出可能である天板付什器である。
【０００７】
このように構成された天板付什器では、電極が、化粧材を介して使用者が天板上で行う操作を検出することができる。
このため、使用者が天板を利用しながら、天板に対して大きく移動することなく天板上で所望の操作を容易に行うことができる。
【０００８】
また、本発明に係る天板付什器では、前記電極が設けられたセンサシートを備え、前記センサシートは、前記化粧材と前記基材との間に配置されてもよい。
このように構成された天板付什器では、電極を、天板を構成する層構造の一層として組み込むことが可能となる。
【０００９】
また、本発明に係る天板付什器では、前記基材には、この基材を上下方向に貫く貫通孔が形成され、前記電極は、少なくとも一部が前記貫通孔に臨むように配置され、前記貫通孔内に配置され、前記電極に電気的に接続された電極接続部を有してもよい。
【００１０】
このように構成された天板付什器では、電極に電気的に接続された電極接続部が、基材に設けられ、電極が臨んでいる貫通孔内に配置されている。このため、電極接続部を、天板内に組み込まれた電極に容易かつ確実に接続可能である。また、例えば電極と接続した導線を、天板の下方から貫通孔を通して取出して、外部と接続可能である。これにより、例えば使用者の操作に応じて駆動する機器と電気的に接続する際に、電極接続部を基材の外部に設ける構成と比較して、デスク装置の見映えを向上することができるとともに、天板付什器をコンパクトな構成とすることができる。
【００１１】
また、本発明に係る天板付什器では、前記支持体は、前記電極における検出結果に基づいて前記天板を昇降させる昇降機構を有してもよい。
このように構成された天板付什器では、支持体が昇降機構を有しているので、天板を昇降させることができる。
【発明の効果】
【００１２】
本発明に係る天板付什器によれば、天板を使用する使用者が、天板に対して大きく移動することなく所望の操作を容易に行うことができる。
【図面の簡単な説明】
【００１３】
【図１】本発明の第１実施形態に係る天板付什器の斜視図である。
【図２】図１に示す天板の分解斜視図である。
【図３】図２に示す天板のＡ−Ａ線矢視断面図である。
【図４】本発明の第２実施形態に係るデスク装置における天板の縦断面図である。
【発明を実施するための形態】
【００１４】
（第１実施形態）
本発明の第１実施形態について、図１から図３を参照して説明する。図１は、本実施形態に係るデスク装置１（天板付什器）の斜視図である。図２は、図１に示す天板２の分解斜視図である。図３は、図２に示す天板２のＡ−Ａ線矢視断面図である。本実施形態では、天板付什器の一例として、デスク装置１を説明している。なお、天板付什器としてはデスク装置１に限られず、例えば天板付の棚等であってもよい。
以下の説明において、デスク装置１の使用者から見た前後方向をデスク装置１の前後方向Ｘ、使用者から見た左右方向をデスク装置１の左右方向Ｙという。また、使用者から見た上下方向をデスク装置１の上下方向Ｚという。
【００１５】
図１に示すように、本実施形態に係るデスク装置１は、天板２と、天板２を支持する支持体５と、を備えている。天板２は上面視で矩形状をなし、上面３と下面４とを有する。
支持体５は、梁部６と、軸部７と、脚部８と、昇降駆動部１０と、制御部１５と、を有している。梁部６は、天板２の前後方向Ｘに延びている。梁部６は、天板２の左右端に１つずつ配されている。
【００１６】
軸部７は、梁部６を介して天板２に接続されている。軸部７は、天板２の下面４から垂直に下方へ延びている。
脚部８は、床面に接触してデスク装置１を支持するとともに、昇降駆動部１０を介して軸部７に連結されている。本実施形態では、脚部８は、床面と平行に延びる水平部８ａと、軸部７と同軸をなして垂直に延びる第一筒部８ｂ及び第二筒部８ｃとを有している。
【００１７】
昇降駆動部１０は、軸部７、第一筒部８ｂ、および第二筒部８ｃが延びる上下方向Ｚに沿って、これらを相対移動させるためのモータとギア（不図示）を有している。昇降駆動部１０は、制御部１５に電気的に接続されている。昇降駆動部１０が動作することによって、支持体５が上下方向Ｚに伸縮し、天板２が昇降する。すなわち、昇降駆動部１０および制御部１５が、後述する電極２１における検出結果に基づいて、天板２を昇降させる昇降機構を構成している。
【００１８】
そして本実施形態では、図２に示すように、天板２は、表面が天板２の上面を構成する化粧材２０と、操作を検出するための電極２１と、剛性を有し、化粧材２０を支持する基材２２と、を有している。化粧材２０および基材２２は上面視で矩形状をなし、互いに同等の形状、大きさをなしている。
【００１９】
化粧材２０は、基材２２の上方に配置され、上方を向く表面に木目等の意匠性を備えた模様が施されている。化粧材２０には、例えばメラミン化粧材を採用することができる。電極２１は、化粧材２０と基材２２との間に複数配置され、化粧材２０を介して天板２上での操作を検出可能となっている。複数の電極２１は、化粧材２０と基材２２との間における左右方向Ｙの一方側の端部に、前後方向Ｘに列をなしている。
【００２０】
また本実施形態では、デスク装置１は、電極２１が設けられたセンサシート２３を備えている。センサシート２３は、化粧材２０と基材２２との間に配置されている。センサシート２３の形状および大きさは、基材２２と同等となっている。化粧材２０とセンサシート２３との間、およびセンサシート２３と基材２２との間にはそれぞれ、接着剤（図示せず）が介在している。接着剤により、化粧材２０、センサシート２３および基材２２が固着されている。
【００２１】
センサシート２３は、例えば紙材料等により形成されている。本実施形態では、電極２１は、例えばナノ銀インク等の導電性材料がセンサシート２３にプリントされることで形成されている。なお、電極２１は板状やフィルム状に形成され、センサシート２３に接着等により貼付されてもよい。
【００２２】
基材２２は、例えば非金属材料等により形成されている。基材２２の下方には、裏面材２４が設けられている。裏面材２４は上面視で基材２２と同等の形状、大きさをなしている。なお、裏面材２４は設けられなくてもよい。
基材２２には、この基材２２を上下方向Ｚに貫く貫通孔２２Ａが形成されている。貫通孔２２Ａは、基材２２とともに裏面材２４を貫いている。図示の例では、左右方向Ｙにおける一方側の端部に、前後方向Ｘに列をなすように、複数の電極２１と対応して、複数の貫通孔２２Ａが配置されている。貫通孔２２Ａは上面視で円形状を呈する。なお、貫通孔２２Ａの位置、数量、および形状は任意に変更することができる。
【００２３】
電極２１は、少なくとも一部が貫通孔２２Ａに臨むように配置されている。電極２１は上面視で一対の２辺が前後方向Ｘに延びるとともに、残り一対の２辺が左右方向Ｙに延びる矩形状を呈する。電極２１の左右方向Ｙの大きさは、前後方向Ｘの大きさよりも大きくなっている。なお、電極２１の位置、数量、および形状は任意に変更することができる。
【００２４】
電極２１は、センサシート２３に複数設けられ、互いに同等の形状、および大きさをなしている。複数の電極２１は、前後方向Ｘに間隔をあけて配置されている。複数の電極２１それぞれにおける左右方向Ｙの端部と、貫通孔２２Ａと、の上面視における位置が互いに同等となっている。
【００２５】
また本実施形態では、図３に示すように、デスク装置１は、貫通孔２２Ａ内に配置され、電極２１に電気的に接続された電極接続部３０を有している。電極接続部３０は、基材２２に固定されたセンサ基部３１と、センサ基部３１に取り付けられたセンサ基板３２と、電極２１に接触し、センサ基板３２と電極２１とを電気的に接続する接点部３３と、を備えている。
【００２６】
センサ基部３１は、円柱状をなしている。センサ基部３１の下端部には、径方向の外側に向けて突出するフランジ部３１Ａが形成されている。センサ基部３１は貫通孔２２Ａ内に下方から挿入されている。センサ基部３１のフランジ部３１Ａが、裏面材２４における下方を向く下面に固定されている。
【００２７】
センサ基板３２には、電極２１に対して行った操作による静電容量の変化に基づいて、操作内容を認識するセンサが採用されている。接点部３３は、センサ基板３２の上面と、電極２１の下面と、の間に配置されている。
接点部３３には、上下方向Ｚに付勢されたバネ部材が採用されている。図示の例では、バネ部材は板バネである。このため、センサ基板３２と電極２１との間の寸法がばらつく場合であっても、確実にセンサ基板３２と電極２１とを電気的に接続することができる。また、センサ基板３２は、制御部１５と電気的に接続されている。
【００２８】
次に、本実施形態に係るデスク装置１の操作方法について説明する。
使用者がデスク装置１の天板２を昇降させる際には、天板２の上面のうち、電極２１の上方に位置する部分で所定の操作を行う。所定の操作としては、例えば天板２の上面に接触させた指を左右方向Ｙの一方側にスライドさせると天板２を昇降させ、他方側にスライドさせると天板２を下降させるというように、任意に設定しておくことができる。
【００２９】
電極２１が検出した操作内容を、接点部３３を介してセンサ基板３２が認識すると、センサ基板３２は、制御部１５に操作内容を伝達する。そして、制御部１５は昇降駆動部１０に入力する指令値を生成した後に、昇降駆動部１０に指令値を入力する。昇降駆動部１０が、入力された指令値に基づいて駆動することで、デスク装置１の天板２が昇降、又は下降する。
【００３０】
以上説明したように、本実施形態に係るデスク装置１によれば、電極２１が、化粧材２０を介して使用者が天板上で行う操作を検出することができる。
このため、使用者が天板２を利用しながら、天板２に対して大きく移動することなく天板２上で所望の操作を容易に行うことができる。
また、電極２１が、化粧材２０と基材２２との間に配置されたセンサシート２３に設けられているので、電極２１を、天板２を構成する層構造の一層として組み込むことが可能となる。
【００３１】
また、電極２１に電気的に接続された電極接続部３０が、基材２２に設けられ、電極２１が臨んでいる貫通孔２２Ａ内に配置されている。このため、電極接続部３０を、天板２内に組み込まれた電極２１に容易かつ確実に接続可能である。また、例えば電極２１と接続した導線を、天板２の下方から貫通孔２２Ａを通して取出して、外部と接続可能である。これにより、例えば使用者の操作に応じて駆動する機器と電気的に接続する際に、電極接続部３０を基材２２の外部に設ける構成と比較して、デスク装置１の見映えを向上することができるとともに、デスク装置１をコンパクトな構成とすることができる。
また、支持体５が昇降機構を有しているので、天板２を昇降させることができる。
【００３２】
また、電極２１が、化粧材２０と基材２２との間に配置されているので、電極２１と、天板２上で操作を行う使用者の指と、の距離を短くすることが可能になり、使用者の指が接触した際に、電極２１において静電容量の変化を正確に検出しやすくすることができる。
また、電極２１が、センサシート２３に印刷されているので、電極２１の形状を自由に変更することができるとともに、金型を用いて製造するような構成と比較して、小量ロット毎に生産することが可能になり、製造に際しての初期費用を抑えることができる。
【００３３】
また、基材２２に貫通孔２２Ａが形成され、電極２１の少なくとも一部が貫通孔２２Ａに臨むように配置されている。このため、電極接続部３０が内部に配置される貫通孔２２Ａの上面視における大きさを小さくしながら、電極２１の上面視における大きさを大きくすることができる。これにより、貫通孔２２Ａを小さくして天板２の強度を確保しながら、電極２１を大きくして、天板２上のうち、使用者が操作を行える範囲を広くすることができる。
【００３４】
（第２実施形態）
次に、本発明の第２実施形態について、図４を参照して説明する。図４は、本発明の第２実施形態に係るデスク装置１Ｂにおける天板２Ｂの縦断面図である。なお、以下の各実施形態において、第１実施形態と同一の構成については同一の符号を付してその説明は省略し、異なる点についてのみ説明する。
【００３５】
図４に示すように、本実施形態に係るデスク装置１Ｂの天板２Ｂは、センサシート２３を備えていない。電極２１は化粧材２０と基材２２との間に配置され、その全体が貫通孔２２Ａに臨んでいる。
また、本実施形態に係るデスク装置１Ｂの電極接続部３０Ｂは、接点部３３を備えていない。電極２１は、センサ基板３２の上面に配置され、センサ基板３２と電気的に接続されている。電極２１は、化粧材２０とセンサ基板３２とにより上下方向Ｚに挟まれている。電極２１は化粧材２０の下面に当接している。このため、天板２上で行われた操作は、電極２１から直接、センサ基板３２に伝達される。
【００３６】
本実施形態に係るデスク装置１Ｂでは、デスク装置１がセンサシート２３および接点部３３を備えていない。このため、デスク装置１の部品点数を削減し、製造コストを削減することができる。また、部品点数を削減することで、信頼性を向上し、長期間の使用において不具合が生じにくくすることができる。
【００３７】
なお、本発明の技術的範囲は前記実施形態に限定されるものではなく、本発明の趣旨を逸脱しない範囲において種々の変更を加えることが可能である。
【００３８】
例えば、上記実施形態においては、センサシート２３が上面視で基材２２と同等の形状、および大きさをなしている構成を示したが、このような態様に限られない。例えばセンサシート２３は、上面視で基材２２に形成された貫通孔２２Ａの周囲のみを覆うような形状、および大きさであってもよい。
【００３９】
また、上記実施形態においては、デスク装置１が昇降駆動部１０および制御部１５により構成された昇降機構を備え、使用者が行う天板２上での操作が、昇降駆動部１０により天板２を昇降させる操作である構成を示したが、このような態様に限られない。例えばデスク装置１が昇降機構に代えて照明器具を備え、使用者が照明器具の点灯又は消灯を、天板２上で操作するような態様であってもよい。
【００４０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４１】
１、１Ｂ  デスク装置
２、２Ｂ  天板
５  支持体
２０  化粧材
２１  電極
２２  基材
２２Ａ  貫通孔
２３  センサシート
３０  電極接続部
【図１】
2019080848.tif 000003
【図２】
2019080848.tif 000004
【図３】
2019080848.tif 000005
【図４】
2019080848.tif 000006